(57)【要約】【課題】講演内容や、会話の話し言葉を書き起こす音声のテキスト化には、不要語を削除する整文作業が不可欠であるが、音声認識精度が１００％でない為、自動削除による整文作業の効率化には困難があった。【解決手段】音声入力手段により入力された音声を文字列に変換し、音響特徴量を出力する音響分析装置からの文字列を、不要語及び不要語のNグラム文法を記憶した不要語辞書及び、不要語以外の単語及び不要語以外の単語のNグラム文法を記憶した一般語辞書を用いて単語ラティスの形式で単語列探索装置により出力し、単語ラティスの単語列のうち最も尤度の高い単語の組み合わせを算出し、最尤度組み合わせ単語が不要語であるか否かを不要語辞書により照査し、不要語であればその領域を、その他の領域とは異なる態様で表示するよう不要語分類装置から出力し、この出力従い表示手段が表示する。【選択図】図１
2005164656.tif 000002
【特許請求の範囲】
【請求項１】
音声を入力する音声入力手段と、
音声入力手段により入力された音声を分析し音響特徴量を出力する音響分析装置と、
音響分析装置からの音響特徴量を、不要語及び不要語のNグラム文法を記憶した不要語辞書及び、不要語以外の単語及び不要語以外の単語のNグラム文法を記憶した一般語辞書を用いて単語ラティスの形式で出力する単語列探索装置と、
単語ラティスの単語列のうち最も尤度の高い単語の組み合わせを算出し、最尤度組み合わせ単語が不要語であるか否かを不要語辞書により照査し、不要語であればその領域を、その他の領域とは異なる態様で表示するよう出力する不要語分類装置と、
不要語分類装置の出力に従い表示する表示手段とを備えたことを
特徴とする音声認識装置。
【請求項２】
上記不要語分類装置は不要語辞書と照査の結果、最尤度組み合わせ単語が一般語ではあるが、単語ラティスのこの一般語と同一の区間に不要語が存在する時は、不要語候補を持つ一般語領域として、不要語候補を持たない一般語領域、及び不要語領域とは異なる態様で表示するよう出力する構成にされたことを特徴とする請求項１記載の音声認識装置。
【請求項３】
表示装置に表示された文字列の所定単語領域を指定可能にするとともに、指定された所定単語領域を検出し、上記単語ラティスのこの所定単語領域と同一の区間に他の単語が存在する時は、指定単語領域を上記他の単語と入れ替える入替装置を更に備えたことを特徴とする請求項１または請求項２記載の音声認識装置。
【請求項４】
表示装置により表示された文字列の所定単語領域を指定可能にするとともに、指定された所定単語領域を検出し、所定単語領域を削除する削除装置を更に備えたことを特徴とする請求項１乃至請求項３の何れかに記載の音声認識装置。
【請求項５】
リライトを支援する音声認識のためコンピュータに
音声入力手段により音声を入力する手順と、
音声入力手順により入力された音声を分析し、音響特徴量を出力する音響分析手順と、
音響分析手順からの音響特徴量を、不要語及び不要語のNグラム文法を記憶した不要語辞書及び、不要語以外の単語及び不要語以外の単語のNグラム文法を記憶した一般語辞書を用いて単語ラティスの形式で出力する単語列探索手順と、
単語ラティスの単語列のうち最も尤度の高い単語の組み合わせを算出し、最尤度組み合わせ単語が不要語であるか否かを不要語辞書により照査し、不要語であればその領域を、その他の領域とは異なる様態で表示する出力する不要語分類手順と、
不要語分類手順からの出力に従い表示手段に表示する表示手順とを実行させるための音声認識プログラム。
【請求項６】
上記不要語分類手順は不要語辞書と照査の結果、最尤度組み合わせ単語が一般語であるが、単語ラティスのこの一般語と同一の区間に不要語が存在する時は、不要語候補を持つ一般語領域として、不要語候補を持たない一般語領域、及び不要語領域とは異なる態様で表示するよう出力する手順とされた請求項５記載の音声認識プログラム。
【請求項７】
表示手順により表示された文字列の所定単語領域が指定されたとき、その指定された所定単語領域を検出し、上記単語ラティスのこの所定単語領域と同一の区間に他の単語が存在する時は、指定単語領域を上記他の単語と入れ替える入替手順を更にコンピュータに実行させる請求項５または請求項６記載の音声認識プログラム。
【請求項８】
表示手順により表示された文字列の所定単語領域が指定されたとき、その指定された所定単語領域を検出し、所定単語領域を削除する削除手順をコンピュータに更に実行させる請求項５乃至請求項７の何れかに記載の音声認識プログラム。
【発明の詳細な説明】
【技術分野】
【０００１】
この発明は、音声認識結果のリライトを支援する音声認識及び音声認識プログラムに関するものである。
【背景技術】
【０００２】
音声をテキスト化する技術は各分野で求められており、医療や法律分野の音声書き起こしや、放送字幕の作成など、多くの分野で書き起こしの効率向上に対する期待がある。特に、講演内容や、会話の話し言葉を書き起こすためには、不要語の削除（以下整文）が必要である。
間投詞、及び間投助詞などの余分な言葉を自動削除する技術として、例えば、特開2002-323969号公報“コミュニケーション支援方法およびこの方法を用いたシステムならびに装置”には曖昧な場合の削除例が開示されている。以下用いる専門用語は、鹿野清宏、伊藤克亘、河原達也、武田一哉、山本幹雄著：「音声認識システム」株式会社オーム社，平成１３年５月１５日（以下教科書）に示される用語を用いるものとする。
【０００３】
以下、従来の技術について説明する。図１８は、従来装置を示すブロック図であり、２１は音声認識装置、２２は形態素解析装置、２３は不要語削除装置、５は表示装置である。
【０００４】
次に、本従来の装置を使用して不要語を削除する過程を図１９の動作の概略フローと具体例をもとに解説する。
ST702において、音声認識装置２１は入力された音声を認識し認識結果を文字列に変換する。ST703で音声認識装置２１により音声から変換された文字列を形態素解析装置２２は形態素解析し、品詞情報を付与するとともに単語列に区切る。
ST704で、不要語削除装置２３は、形態素解析装置２２で付与された単語列の品詞情報をもとに、間投詞や間投助詞を不要語として削除する。
ST705で表示装置５は、不要語削除装置２３で削除されずに残った不要語でない語の表記文字列を連結し、表示部に表示する。
このようにして、自動的に不要語を削除することができる。
【０００５】
【特許文献１】特開２００２−３２３９６９号公報
【発明の開示】
【発明が解決しようとする課題】
【０００６】
しかし、従来の音声認識装置では、次のような問題点を有している。
第１の問題点は、不要語と不要語でない語が曖昧な場合に不要語を選択することができない点である。その理由は、次の例によって説明できる。「えーとびーと」という発声に対して、認識結果が、「えーとBと」であれば間投詞である「えーと」を削除して良いが、「AとBと」という意図で発声しているのであれば、「Aと」を削除してしまうのは誤りである。これは人間でもこの部分の発声を聞いただけでは判断が不可能であるので、発声の意図を基に使用者が選択できるようにする必要がある。
【０００７】
第２の問題点は、音声認識の認識精度が１００％であれば、認識文字出力結果に基づいた後処理での単語の選択が実現できる。しかし、音声認識では一般的に１００％正確に認識できないので、認識結果に誤りを含んでしまう。そのため、認識結果に対して、後処理のみで精度良く不要語と不要語でない語を選択するのは困難である。
【０００８】
この発明は、上記問題点を解消すべくなされたものであって、その目的は、不要語と不要語でない語が曖昧な場合に選択、入れ替え、及び削除することを可能とする音声認識装置を提供することにある。
【課題を解決するための手段】
【０００９】
上記目的を達成するため、この発明は、入力音声をスペクトル分析し、音響特徴量を出力する音響分析装置と、
音響分析装置からの音響特徴量を、音素HMMと不要語及び不要語のNグラム文法を記憶した不要語辞書及び、不要語以外の単語及び不要語以外の単語のNグラム文法を記憶した一般語辞書を用いて単語ラティスの形式で出力する単語列探索装置と、
単語ラティスの単語列のうち最も尤度の高い単語の組み合わせを算出し、最尤度組み合わせ単語が不要語であるか否かを不要語辞書と照査し、不要語であればその領域を、その他の領域とは異なる様態で表示するよう出力する不要語分類装置と、
上記メモリの出力に従い表示する表示手段とを備えるものである。
【発明の効果】
【００１０】
この発明によれば、不要語と不要語でない語を異なる態様で表示することができ、この結果、視認性を向上し、不要語と不要語でない一般語の入替え、及び不要語の削除といった編集効率、操作性、利便性を向上するという効果を奏する。
【発明を実施するための最良の形態】
【００１１】
実施の形態１．
この発明の一実施の形態について図面を参照して以下に説明する。図１は、この発明の実施の形態１を示すブロック図である。
【００１２】
１は、音声を電気信号に変換しアナログデータとして取り込むマイク、２は、マイク１の取り込んだアナログデータをA/D変換し、量子化した後、教科書にある一般的な音声信号のスペクトル分析手法を用いてスペクトル分析し、音響特徴量を出力する音響分析装置である。
３は、音響分析装置２の出力した音響特徴量から教科書にある一般的な音素HMMと、Nグラム文法、及び単語辞書を用いて探索アルゴリズムにより、音声に類似した中間表現として単語列を単語ラティスの形式で出力する単語列探索装置、
４は、単語ラティスの単語列のうち最も尤度の高い最尤推定量の単語の組み合わせを教科書にある一般的なビタビアルゴリズムを用いて算出するとともに、不要語区間を判定し、該判定区間の表示属性を一般語とは異なる属性としてRAMに記憶する不要語分類装置である。
【００１３】
５は、不要語分類装置４で算出された単語列を表示するとともに、不要語区間を不要語以外とは異なる様態で表示する表示装置である。
６は、不要語以外の単語のNグラム文法、及び不要語以外の単語を記憶した一般語辞書であり、不要語以外の一般語の単語毎の発音、表記、及びユニグラムの対数確率を記憶する。
７は、間投詞、間投助詞などの不要語のNグラム文法、及び不要語を記憶した不要語辞書であり、不要語の単語毎の発音、表記、及びユニグラムの対数確率を記憶する。
【００１４】
以下図２の処理フロー図を参照に図１に示す装置の動作について説明する。
本実施の形態では、「えーとびーと」の発声に対する処理を例にとる。
まず、ST3002で、マイク１より「えーとびーと」の音声を電気信号に変換し、アナログデータとして取り込む。
【００１５】
ST3003で、音響分析装置２は、マイク１の取り込んだアナログデータをA/D変換し、量子化した後、教科書にある一般的な音声信号の信号処理であるスペクトル分析手法を用いてスペクトル分析し、「えーとびーと」に対応した音響特徴量の系列をこの装置に備えられたRAM（図示せず）に記憶する。
【００１６】
ST3004で単語列探索装置３は、教科書にある一般的な（例えばBaum-Weltchのアルゴリズムなどで）予め学習された音素HMMと、図３に示す一般語辞書６及び不要語辞書７に記録された単語を用いて、教科書にあるような一般的な木構造の辞書による単語のモデル化を行なう。
【００１７】
また、単語列探索装置３は、同じく一般語辞書６及び不要語辞書７に記録されたNグラム文法を用いて、下式により単語間遷移確率を近似し、言語モデルの出力確率P(W)を計算する。上記RAMに記憶された音響特徴量の系列と単語間遷移確率を用いて教科書にある一般的な探索アルゴリズムにより連続音声認識を行なう。
【００１８】
【数１】
2005164656.tif 000003
【００１９】
ただし、
Wは単語列w1,w2,…,wn
NはNグラムの次数（この実施の形態では簡単のためにユニグラムN=1とする）
ｎは単語数
【００２０】
これにより、RAMに記憶された音響特徴量の系列に対して、最も高い確率で出力する単語系列を計算でき、結果として音声「えーとびーと」に類似した中間表現として単語列を単語ラティスの形式でRAMに記憶する。本実施の形態の場合、単語ラティスは図４となる。
【００２１】
次にST3005で不要語分類装置４は単語ラティスの単語列のうち最も尤度の高い単語の組み合わせを教科書にある一般的なビタビアルゴリズムを用いて算出する。
【００２２】
本実施の形態では、仮説単語列w1, w2, …, wnの評価値f(h)は音響モデルの対数出力確率が以下であるすると、
AC(e,i,to,bi:,to) = -24.0
AC(e:,to,bi:,to) = -21.2
言語モデルの対数出力確率は、それぞれの単語のユニグラム対数確率から、
LM(エイト,ビート) = log(P(エイト))＋log(P(ビート)) = -5.7 -5.5 = -11.2
LM(えーと,ビート)= log(P(えーと))＋log(P(ビート)) = -4.8 -5.5 = -３
などのように（数１）の対数をとり、対数出力確率で下式により計算する。
【００２３】
f(h)＝AC(h)＋LM(h)＊LM_WEIGHT＋ｎ＊LM_PENALTY        （２）
ただし、
AC(h)：仮説ｈに対応する音響モデルの対数出力確率
LM(h)：仮説ｈに対する言語モデルの対数出力確率
LM_WEIGHT：言語モデル重み（本実施の形態では簡単のため１とする）
LM_PENALTY：単語挿入ペナルティ（本実施の形態では簡単のため０とする）
【００２４】
ビタビアルゴリズムにより最尤値は、
f(h)= AC(e:,to,bi:,to)+ LM(えーと,ビート) = -21.2 -３ = -31.5
となり、最尤単語列「えーと」、「ビート」を決定する。
【００２５】
ついで不要語分類装置４は、ST3006ですべての最尤単語について表示属性をチェックしたか否かを調べる。
すべての単語をチェックしていなければ処理をST3007へ移す。チェックが完了していれば処理をST3012に移す。ここでは単語が残っているのでST3007へ処理が移り、ST3007で第１単語「えーと」が不要語か否かをチェックする。
ここでは、第１単語「えーと」が不要語辞書に記録されていることから不要語と判定し、ST3008で表記「えーと」を上記RAMに記憶するとともに「えーと」の表示属性を“反転”としてRAMに記憶し、処理をST3006に戻す。
【００２６】
次に第２単語「ビート」についてST3006から処理を再開する。ST3006では第２単語「ビート」についてすべての単語をチェックし終えていないので、処理をST3007に移す。ST3007で「ビート」は不要語でないため、処理をST3009に移す。ST3009の処理では図４に示す単語ラティスの「ビート」と同じ区間に不要語は存在しないため、処理をST3011に移す。ST3011では「ビート」の表示属性として、“一般”を上記RAMに記憶し、処理をST3006に戻す。すべての最尤単語をチェックしたので処理をST3012に移す（ST3006）。
【００２７】
表示装置５は、上記RAMに記憶された単語列を第１単語から順に表示属性に従って表示する。本実施の形態では、「えーと」が反転、「ビート」が一般で図５のように表示される(ST3012)。
【００２８】
以後、反転して表示された不要語「えーと」は使用者が不要語であることを確認してキーボードやマウスなどを操作して削除する。
【００２９】
このように本実施の形態では、不要語区間を不要語以外とは異なる様態で表示することができる。従って、ユーザは容易に不要語と不要語以外を区別することが可能となる。
【００３０】
実施の形態２．
本実施の形態では、「えいとびーと」の発声に対する処理の詳細について説明する。
構成は上記実施の形態１と同様であり、また上記実施の形態１と同様の処理がなされるが、発声が異なるため、本実施の形態では、音響モデルの対数出力確率が異なり以下のようになる。
AC(e,i,to,bi:,to) = -20.1
AC(e:,to,bi:,to) = -25.2
言語モデルの対数出力確率は実施の形態１と同様であり、
LM(エイト,ビート) = log(P(エイト))＋log(P(ビート)) = -5.7 -5.5 = -11.2
となる。
【００３１】
ビタビアルゴリズムにより最尤値は、
f(h)= AC(e,i,to,bi:,to)+ LM(エイト,ビート) = -20.1 -11.2 = -21.3
となり、最尤単語列「エイト」、「ビート」を決定する(ST3005)。
【００３２】
ST3006で不要語分類装置４は、すべての最尤単語について表示属性をチェックしたか否かを確認する。
すべての単語をチェックしていなければ処理をST3007へ移す。チェックが完了していれば処理をST3012に移す。ここでは単語が残っているのでST3007へ処理が移る。
【００３３】
ST3007では、第１単語「エイト」が不要語かチェックする。
ここでは、第１単語「エイト」が一般辞書に記録されていることから不要語ではないと判定し、処理をST3009に移す。
ST3009では図４に示す単語ラティスの「エイト」と同一の区間には「えーと」という不要語が存在することをチェックし、処理をST3010に移す。
ST3010で表記「エイト」を上記RAMに記憶するとともに「エイト」の表示属性として外枠をRAM記憶し、処理をST3006に戻す。
次に第２単語「ビート」以下については実施の形態１と同様である。
【００３４】
ST3012で表示装置５は、上記RAMに記憶された単語列を第１単語から順に表示属性に従って表示する。本実施の形態では、「エイト」が外枠、「ビート」が一般で図６のように表示される。
【００３５】
このように本実施の形態では、不要語となる可能性のある区間についても不要語以外とは異なる様態で表示することができる。従って、ユーザは容易に不要語のある可能性のある区間と不要語以外を区別することが可能となる。
【００３６】
実施の形態３．
以下、この発明の一実施の形態について説明する。図７は、本実施の形態を示すブロック図である。
図７において、８は表示装置５に表示された文字列の中で不要語と思われる文字列を不要語候補として使用者が指定することを可能とし、指定された不要語候補と一般語候補の入替えをする入替装置であり、表示装置５に装着されたタッチパネルとして構成され、使用者の指などが接触した選択位置の座標値を検出する。
これ以外は図１に示す実施の形態１と同様の構成である。
【００３７】
本実施の形態の動作の詳細を図８・図９を用いて説明する。
本実施の形態では、「えーとびーと」の発声に対する処理を例に説明する。
図８のST3001〜ST3012までは実施の形態１と同様の処理がなされる。
【００３８】
ST3012までの処理により、表示装置５に表示された内容を見て、使用者は表示装置５の不要語候補の位置を選択し表示装置５に装着されたタッチパネルに指などにより接触して範囲を指定する。
ST4001で入替装置８は使用者の指などによるタッチパネルへの接触を検出し、接触した位置を使用者の選択位置としてその座標値を検出する。
【００３９】
ST4002で入替装置８は得られた座標値に単語が表示されているかチェックする。選択位置に単語が表示されていなければST4010で処理を終了する。単語が表示されていればST4003に処理を移す。
本実施の形態では、「えーと」の部分が選択されたものと仮定してST4003に処理が移る。
【００４０】
ST4003で入替装置８は、選択単語の属性が反転であるか否かをチェックする。反転でないならば処理をST4006に移す。反転であるならば、処理をST4004に移す。ここでは、「えーと」の属性は反転であるので、処理はST4004に移る。
ST4004で入替装置８は、選択された該当単語「えーと」と図４に示す単語ラティス上の同一区間に一般語があるかチェックする。一般語がないならば処理をST4001に移す。一般語があるならば処理をST4005に移す。ここでは、「えーと」と同一区間に一般語「エイト」が存在するので、処理をST4005に移す。
【００４１】
ST4005で入替装置８は、該当単語と同一区間にある一般語を入替え、属性を外枠として上記RAMに記憶し、処理をST4009に移す。
ST4009で入替装置８は、表示装置５をコントロールし、上記RAMに記憶された単語列を第１単語から順に表示属性に従って表示する。本実施の形態では、「エイト」が外枠、「ビート」が一般で図６のように表示される。
【００４２】
これにより、不要語と一般語を入れ替えて表示することができる。
このように本実施の形態では、不要語区間を使用者が指定することで、一般語に入れ替えて表示することができる。従って、ユーザは容易に整文作業をすることが可能となる。
【００４３】
実施の形態４．
以下、この発明の一実施の形態について「えいとびーと」の発声に対する処理を例にその詳細を説明する。本実施の形態は実施の形態３と同じ構成をとる。
【００４４】
本実施の形態の動作の詳細を図８・図９を用いて説明する。
図８のST3001〜ST3012までは実施の形態２と同様の処理がなされる。
【００４５】
ST3012までの処理により、表示装置５に表示された内容を見て、使用者は表示装置５の不要語候補の位置を選択し表示装置５に装着されたタッチパネルに指などにより接触して範囲を指定する。
図９のST4001で入替装置８は、表示装置５に装着されたタッチパネルにおける使用者の指などによる接触を検出し、接触した位置を選択位置の座標値として検出する。
ST4002で入替装置８は得られた座標値に単語が表示されているかチェックする。選択位置に単語が表示されていなければST4010で処理を終了する。単語が表示されていればST4003に処理を移す。
本実施の形態では、「エイト」の部分が選択されたものと仮定してST4003に処理が移る。
【００４６】
ST4003で入替装置８は、選択単語の属性が反転であるか否かをチェックする。反転でないならば処理をST4006に移す。反転であるならば、処理をST4004に移す。ここでは、「エイト」の属性は外枠であるので、処理はST4006に移る。
ST4006で入替装置８は、選択単語の属性が外枠であるか否かをチェックする。外枠でないならば処理をST4010に移して終了する。外枠であるならば、処理をST4007に移す。ここでは、「エイト」の属性は外枠であるので、処理はST4007に移る。
【００４７】
ST4007で入替装置８は、選択された該当単語「エイト」と図４に示す単語ラティス上の同一区間に不要語があるかチェックする。不要語がないならば処理をST4001に移す。不要語があるならば処理をST4008に移す。ここでは、「エイト」と同一区間に不要語「えーと」が存在するので、処理をST4008に移す。
【００４８】
ST4008で入替装置８は、該当単語「エイト」と同一区間にある不要語「えーと」を入替え、属性を反転として上記RAMに記憶し、処理をST4009に移す。
ST4009で入替装置８は、表示装置５をコントロールし、上記RAMに記憶された単語列を第１単語から順に表示属性に従って表示する。本実施の形態では、「えーと」が反転、「ビート」が一般で図５のように表示される。
【００４９】
このように本実施の形態では、不要語候補区間を使用者が指定するだけで、不要語候補は不要語に入れ替え反転されて表示することができる。以後使用者は反転表示された不要語を確認して、実施の形態１と同様に削除することにより、ユーザは容易に整文作業をすることが可能となる。
【００５０】
実施の形態５．
以下、この発明の一実施の形態について説明する。図１０は、この発明の実施の形態を示すブロック図である。
図１０において、９は表示装置５に装着されたタッチパネルにより構成され、表示装置５に表示された不要語候補の文字列を使用者が指定することを可能とし、使用者により指定された不要語候補を削除する削除装置である。
これ以外は図１に示す実施の形態１と同様の構成である。
【００５１】
本実施の形態の処理動作の詳細を図１１・図１２において説明する。
本実施の形態では、「えーとびーと」の発声に対する処理を例に説明する。
図１１のST3001〜ST3012までは実施の形態１と同様の処理がなされる。
【００５２】
ST3012までの処理により、表示装置５に表示された内容を見て、使用者は表示装置５の不要語候補の位置を選択し表示装置５に装着されたタッチパネルに指などにより接触して範囲を指定する。
図１２におけるST5001で削除装置９は使用者の指などにより指定された表示装置上の選択位置を座標値として検出する。
ST5002で削除装置９は得られた座標値に単語が表示されているかチェックする。選択位置に単語が表示されていなければST5006で処理を終了する。単語が表示されていればST5003に処理を移す。
本実施の形態では、「えーと」の部分が選択されたものと仮定してST5003に処理が移る。
【００５３】
ST5003で削除装置９は、選択単語の属性が反転であるか否かをチェックする。反転でないならば処理をST5006に移し終了する。反転であるならば、処理をST5005に移す。ここでは、「えーと」の属性は反転であるので、処理はST5005に移る。
ST5005で削除装置９は、表示装置５をコントロールし該当単語を表示から削除するとともに、上記RAMに記憶された該当選択単語をRAMから削除する。本実施の形態では、「えーと」が削除され図１３のように表示される。
【００５４】
このように本実施の形態では、不要語候補を含む区間を使用者が指定するだけで、指定区間を削除することが可能となる。
【００５５】
実施の形態６．
以下、この発明の一実施の形態について説明する。本実施の形態は実施の形態５と同じ構成をとる。
【００５６】
本実施の形態の処理動作の詳細を図１４・図１５に従い、「えいとびーと」の発声に対する処理を例にその詳細について説明する。
図１４のST3001〜ST3012までは実施の形態２と同様の処理がなされる。
【００５７】
ST3012までの処理により、表示装置５に表示された内容を見て、使用者は表示装置５の不要語候補の位置を選択し表示装置５に装着されたタッチパネルに指などにより接触して範囲を指定する。
図１５のST6001で削除装置９は表示装置５に装着されたタッチパネルを使用者の指などによる接触した選択位置を座標値として検出する。
ST6002で削除装置９は得られた座標値に単語が表示されているかチェックする。選択位置に単語が表示されていなければST6006で処理を終了する。単語が表示されていればST6003に処理を移す。
本実施の形態では、「エイト」の部分が不要語候補として選択されたものと仮定してST6003に処理が移る。
【００５８】
ST6003で削除装置９は、選択単語の属性が外枠であるか否かをチェックする。外枠でないならば処理をST6006に移し終了する。外枠であるならば、処理をST6005に移す。ここでは、「エイト」の属性は外枠であるので、処理はST6005に移る。
ST6005で削除装置９は、表示装置５をコントロールし該当単語を表示から削除するとともに、上記RAMに記憶された該当選択単語を上記RAMから削除する。本実施の形態では、「エイト」が削除され図１３のように表示される。
【００５９】
このように本実施の形態では、不要語候補を含む区間を使用者が指定するだけで、指定区間を削除することが可能となる。
【００６０】
実施の形態７．
以下、この発明の実施の形態について説明する。第１６図は、この発明の実施例を示すブロック図である。
【００６１】
８は、表示装置５に表示された文字列の中で不要語と思われる文字列を不要語候補として使用者が指定することを可能とし、指定された不要語候補と一般語候補の入替えをする入替装置である。
９は、表示装置５に表示された文字列の中で不要語と思われる文字列を不要語候補として使用者が指定することを可能とし、指定された不要語候補を削除する削除装置である。
１０は、入替装置８による入替操作と削除装置９による削除操作を選択する操作選択装置であり、図１７に示すボタンを持つ。
これ以外は図１に示す実施の形態１と同様の構成である。
【００６２】
本実施の形態の詳細を説明する。
本実施の形態では、「えーとびーと」の発声に対する処理を例に説明する。
ST3001〜ST3012までは実施の形態１と同様の処理がなされる。
操作選択装置１０は図１７に示すボタンを持ち、入替ボタンが押下された場合にはST4001〜ST4010までの処理を入替装置８において処理し、削除ボタンが押下された場合にはST5001〜ST5006ないしST6001〜ST6006までの処理を削除装置９において処理する。
このように処理することより、不要語の入替及び削除操作を使用者が選択して処理することができる。
【００６３】
なお、上記実施の形態１〜７に記載の処理はプログラムによりコンピュータを動作させることによっても実施することが可能である。
【産業上の利用可能性】
【００６４】
この発明は不要語と不要語でない語が曖昧な場合、使用者が不要語か否かを確認して次処理に移行できるので、音声ワープロに適用すると最適である。
【図面の簡単な説明】
【００６５】
【図１】この発明の実施の形態１の構成を示すブロック図である。
【図２】実施の形態１における処理動作のフロー図である。
【図３】一般語辞書と不要語辞書の記録内容の説明図である。
【図４】本実施の形態の場合、単語ラティスは図４となる。
【図５】実施の形態１における表示形態を示す図である。
【図６】実施の形態２における表示形態を示す図である。
【図７】この発明の実施の形態３の構成を示すブロック図である。
【図８】実施の形態３における処理動作前半部分のフロー図である。
【図９】実施の形態３における処理動作後半部分のフロー図である。
【図１０】実施の形態５の構成を示すブロック図である。
【図１１】実施の形態５における処理動作前半部分のフロー図である。
【図１２】実施の形態５における処理動作後半部分のフロー図である。
【図１３】実施の形態５における表示形態を示す図である。
【図１４】実施の形態６における処理動作前半部分のフロー図である。
【図１５】実施の形態６における処理動作後半部分のフロー図である。
【図１６】この発明の実施の形態７を示すブロック図である。
【図１７】操作選択装置における操作部の正面図である。
【図１８】従来装置の構成を示すブロック図である。
【図１９】従来の認識装置における動作の概略フロー図である。
【符号の説明】
【００６６】
１：マイク、２：音響分析装置、３：単語列探索装置、４：不要語分類装置、５：表示装置、６：一般語辞書、７：不要語辞書、８：入替装置、９：削除装置、１０：操作選択装置。
【図１】
2005164656.tif 000004
【図２】
2005164656.tif 000005
【図３】
2005164656.tif 000006
【図４】
2005164656.tif 000007
【図５】
2005164656.tif 000008
【図６】
2005164656.tif 000009
【図７】
2005164656.tif 000010
【図８】
2005164656.tif 000011
【図９】
2005164656.tif 000012
【図１０】
2005164656.tif 000013
【図１１】
2005164656.tif 000014
【図１２】
2005164656.tif 000015
【図１３】
2005164656.tif 000016
【図１４】
2005164656.tif 000017
【図１５】
2005164656.tif 000018
【図１６】
2005164656.tif 000019
【図１７】
2005164656.tif 000020
【図１８】
2005164656.tif 000021
【図１９】
2005164656.tif 000022